【手続補正書】
【提出日】平成26年12月22日(2014.12.22)
【手続補正１】
【補正対象書類名】明細書
【補正対象項目名】０００７
【補正方法】変更
【補正の内容】
【０００７】
上記目的を達成するため、本発明の一態様の情報処理装置は、
表示された画像上に線を描画する描画手段と、
前記描画手段による線の描画中に、位置に基づく所定条件を満たすか否かを判断する判断手段と、
前記判断手段により前記所定条件を満たすと判断された時又は直前に前記描画手段により線が描画された位置を、前記描画手段による線の描画中の状態を維持したまま、所定位置に移動させるように、前記画像をスクロールさせて表示させる表示制御手段と、
を備えることを特徴とする。
上記目的を達成するため、本発明の他の態様の情報処理装置は、
表示された画像上に線を描画する描画手段と、
前記描画手段による線の描画中に、所定の描画領域範囲における前記描画手段による線の描画が中断されたか否かを判断する判断手段と、
前記判断手段により所定の描画領域範囲における前記描画手段による線の描画が中断されたと判断された時又は直前に前記描画手段により線が描画された位置を、前記所定の描画領域範囲における所定位置に移動させるように、前記画像をスクロールさせて表示させる表示制御手段と、
を備えることを特徴とする。
【手続補正２】
【補正対象書類名】特許請求の範囲
【補正対象項目名】全文
【補正方法】変更
【補正の内容】
【特許請求の範囲】
【請求項１】
表示された画像上に線を描画する描画手段と、
前記描画手段による線の描画中に、位置に基づく所定条件を満たすか否かを判断する判断手段と、
前記判断手段により前記所定条件を満たすと判断された時又は直前に前記描画手段により線が描画された位置を、前記描画手段による線の描画中の状態を維持したまま、所定位置に移動させるように、前記画像をスクロールさせて表示させる表示制御手段と、
を備えることを特徴とする情報処理装置。
【請求項２】
前記判断手段により判断される前記位置に基づく所定条件は、前記描画手段による線の描画中の位置が、所定の描画領域範囲の境界上に位置するという条件である、
ことを特徴とする請求項１に記載の情報処理装置。
【請求項３】
前記表示制御手段は、前記判断手段により前記位置に基づく所定条件を満たすと判断された時又は直前に前記描画手段により線が描画された位置を、前記描画領域範囲の略中心となるように、前記画像をスクロールさせて表示させる、
ことを特徴とする請求項２に記載の情報処理装置。
【請求項４】
表示された画像上に線を描画する描画手段と、
前記描画手段による線の描画中に、所定の描画領域範囲における前記描画手段による線の描画が中断されたか否かを判断する判断手段と、
前記判断手段により所定の描画領域範囲における前記描画手段による線の描画が中断されたと判断された時又は直前に前記描画手段により線が描画された位置を、前記所定の描画領域範囲における所定位置に移動させるように、前記画像をスクロールさせて表示させる表示制御手段と、
を備えることを特徴とする情報処理装置。
【請求項５】
前記表示制御手段は、前記判断手段により前記所定の描画領域範囲における前記描画手段による線の描画が中断されたと判断された時又は直前に前記描画手段により線が描画された位置を、前記描画領域範囲の略中心となるように、前記画像をスクロールさせて表示させる、
ことを特徴とする請求項４に記載の情報処理装置。
【請求項６】
前記表示制御手段によりスクロールさせて表示される前記画像が、前記描画領域範囲に収まるようにスクロール量を修正する修正手段を更に備え、
前記表示制御手段は、前記画像を、前記修正手段により修正されたスクロール量分更にスクロールさせて表示させる、
ことを特徴とする請求項３又は５に記載の情報処理装置。
【請求項７】
前記描画手段により描画される前記線は、前記画像に含まれるオブジェクト領域とその他の領域とを区分する境界線である、
ことを特徴とする請求項１乃至６のうち何れか１項に記載の情報処理装置。
【請求項８】
物体の接触又は近接の操作をタッチ操作として受け付けるタッチパネルをさらに備え、
前記描画手段は、タッチ操作の位置の移動軌跡に沿って線を描画する、
前記表示制御手段は、前記判断手段により前記所定条件を満たすと判断された時又は直前に前記描画手段により線が描画された位置を、前記タッチ操作中の状態を維持したまま、所定位置に移動させるように、前記画像をスクロールさせて表示させる、
ことを特徴とする請求項１乃至３のうち何れか１項に記載の情報処理装置。
【請求項９】
前記描画手段は、前記表示制御手段により前記画像がスクロールさせて表示されてから前記タッチパネルへのタッチ状態が解除されるまでの間、タッチ操作の位置の移動軌跡に沿った描画を行わない、
ことを特徴とする請求項８に記載の情報処理装置。
【請求項１０】
物体の接触又は近接の操作をタッチ操作として受け付けるタッチパネルをさらに備え、
前記描画手段は、タッチ操作の位置の移動軌跡に沿って線を描画する、
ことを特徴とする請求項４又は５に記載の情報処理装置。
【請求項１１】
初回のタッチ操作がなされてから、当該タッチ操作をした物体が前記タッチパネルから離れるまでの時間、又は当該タッチ操作の位置の移動が開始されるまでの時間に応じて、画像の拡大率を変化させて決定する拡大率決定手段をさらに備え、
前記表示制御手段は、さらに、前記拡大率決定手段により決定された拡大率にしたがって、前記画像を拡大して表示させる、
ことを特徴とする請求項８又は１０に記載の情報処理装置。
【請求項１２】
画像の表示を制御する情報処理装置が実行する情報処理方法であって、
表示された画像上に線を描画する描画処理と、
前記描画処理による線の描画中に、位置に基づく所定の要件を満たすか否かを判断する判断処理と、
前記判断処理により前記所定の要件を満たすと判断された時又は直前に前記描画処理により線が描画された位置を、前記描画処理による線の描画中の状態を維持したまま、所定位置に移動させるように、前記画像をスクロールさせて表示させる表示制御処理と、
を含むことを特徴とする情報処理方法。
【請求項１３】
画像の表示を制御するコンピュータに、
表示された画像上に線を描画する描画機能、
前記描画機能による線の描画中に、位置に基づく所定の要件を満たすか否かを判断する判断機能、
前記判断機能により前記所定の要件を満たすと判断された時又は直前に前記描画機能により線が描画された位置を、前記描画機能による線の描画中の状態を維持したまま、所定位置に移動させるように、前記画像をスクロールさせて表示させる表示制御機能、
を実現させることを特徴とするプログラム。
【請求項１４】
画像の表示を制御する情報処理装置が実行する情報処理方法であって、
表示された画像上に線を描画する描画処理と、
前記描画処理による線の描画中に、所定の描画領域範囲における前記描画処理による線の描画が中断されたか否かを判断する判断処理と、
前記判断処理により所定の描画領域範囲における前記描画処理による線の描画が中断されたと判断された時又は直前に前記描画処理により線が描画された位置を、前記所定の描画領域範囲における所定位置に移動させるように、前記画像をスクロールさせて表示させる表示制御処理と、
を含むことを特徴とする情報処理方法。
【請求項１５】
画像の表示を制御するコンピュータに、
表示された画像上に線を描画する描画機能、
前記描画機能による線の描画中に、所定の描画領域範囲における前記描画機能による線の描画が中断されたか否かを判断する判断機能、
前記判断機能により所定の描画領域範囲における前記描画機能による線の描画が中断されたと判断された時又は直前に前記描画機能により線が描画された位置を、前記所定の描画領域範囲における所定位置に移動させるように、前記画像をスクロールさせて表示させる表示制御機能、
を実現させることを特徴とするプログラム。